【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
テレビ電話通信ないし音声通信を行なう通信端末において、該通信端末は、親機と子機を含み、
前記親機は、テレビ電話通信のための画像入出力手段と、前記テレビ電話通信ないし音声通信のための音声入出力手段とを有し、
前記子機は、前記親機と無線通信によりコードレス接続する接続手段と、少なくとも音声通信のための音声入出力手段とを有し、
さらに前記親機と前記子機の間でテレビ電話通信チャンネルないし音声通信チャンネルを切換える切換手段を有することを特徴とする通信端末。
【請求項２】
外部端末に対してチャンネル変更の要求を行う要求手段と、前記要求に対する該外部端末からの応答を受信する受信手段とをさらに有し、前記切換手段は、前記受信手段によって受信した応答に応じて前記チャンネルを切換えることを特徴とする請求項１に記載の通信端末。
【請求項３】
前記切換手段は、前記親機で前記テレビ電話通信を行なっている時、ユーザの所定操作に応じて前記親機のテレビ電話通信チャンネルから前記子機の音声通信チャンネルへ切換えることを特徴とする請求項１又は２に記載の通信端末。
【請求項４】
前記子機で音声通信を行なっている時、ユーザの所定操作に応じて前記親機のテレビ電話通信機能を起動し、画像入出力を前記親機の画像入出力手段で行ない、音声入出力は前記子機の音声入出力手段で行なうテレビ電話通信を行なうことを特徴とする請求項１乃至３のいずれか１項に記載の通信端末。
【請求項５】
前記切換手段は、前記子機の状態に応じて前記テレビ電話通信チャンネルないし音声通信チャンネルの切換えを行なうことを特徴とする請求項１乃至４のいずれか１項に記載の通信端末。
【請求項６】
検出手段と、制御手段をさらに有し、画像入出力を前記親機の画像入出力手段で行ない、音声入出力は前記子機の音声入出力手段で行なうテレビ電話通信を実行中、前記検出手段は、前記子機と前記親機の距離を前記子機の状態として検出し、前記検出手段によって前記子機が前記親機と所定以上離れている状態と検出された場合、前記制御手段は、該テレビ電話通信を中止し、音声入出力を前記子機の音声入出力手段で行なう音声通信に移行するよう制御することを特徴とする請求項５に記載の通信端末。
【請求項７】
検出手段と、制御手段をさらに有し、発信時、前記検出手段は前記子機の発信方式を前記子機の状態として検出し、前記検出手段によって前記子機がスピーカフォン発信の状態と検出された場合、前記制御手段は、画像入出力を前記親機の画像入出力手段で行ない、音声入出力は前記子機の音声入出力手段で行なうテレビ電話通信を選択するよう制御し、前記検出手段によって前記子機がスピーカフォン発信以外の状態と検出された場合は、前記制御手段は、音声入出力を前記子機の音声入出力手段で行なう音声通信を選択するよう制御することを特徴とする請求項５に記載の通信端末。
【請求項８】
親機と子機とを含む通信端末の制御方法において、
前記親機におけるテレビ電話通信のための画像入出力ステップと、
前記親機における前記テレビ電話通信ないし音声通信のための音声入出力ステップと、前記子機を前記親機に無線通信によりコードレス接続する接続ステップと、前記子機における少なくとも音声通信のための音声入出力ステップと、前記親機と前記子機の間でテレビ電話通信チャンネルないし音声通信チャンネルを転送する転送ステップとを含むことを特徴とする通信端末の制御方法。
【請求項９】
外部端末に対してチャンネル変更の要求を行う要求ステップと、前記要求に対する該外部端末からの応答を受信する受信ステップとをさらに含み、前記転送ステップは、前記受信ステップにおいて受信した応答に応じて前記チャンネルを転送することを特徴とする請求項８に記載の通信端末の制御方法。
【請求項１０】
前記転送ステップは、前記親機で前記テレビ電話通信を行なっている時、ユーザの所定操作に応じて前記親機のテレビ電話通信チャンネルから前記子機の音声通信チャンネルへ転送することを特徴とする請求項８又は９に記載の通信端末の制御方法。
【請求項１１】
前記子機で音声通信を行なっている時、ユーザの所定操作に応じて前記親機のテレビ電話通信機能を起動し、画像入出力を前記親機における画像入出力ステップで行ない、音声入出力は前記子機における音声入出力ステップで行なうテレビ電話通信を行なうことを特徴とする請求項８乃至１０のいずれか１項に記載の通信端末の制御方法。
【請求項１２】
前記転送ステップは、前記子機の状態に応じて前記テレビ電話通信チャンネルないし音声通信チャンネルの転送を行なうことを特徴とする請求項８乃至１１のいずれか１項に記載の通信端末の制御方法。
【請求項１３】
検出ステップと、制御ステップをさらに含み、画像入出力を前記親機における画像入出力ステップで行ない、音声入出力は前記子機における音声入出力ステップで行なうテレビ電話通信を実行中、前記検出ステップは、前記子機と前記親機の距離を前記子機の状態として検出し、前記検出ステップにおいて前記子機が前記親機と所定以上離れている状態と検出された場合、前記制御ステップは、該テレビ電話通信を中止し、音声入出力を前記子機における音声入出力ステップで行なう音声通信に移行するよう制御することを特徴とする請求項１２に記載の通信端末の制御方法。
【請求項１４】
検出ステップと、制御ステップをさらに含み、発信時、前記検出ステップは、前記子機の発信方式を前記子機の状態として検出し、前記検出ステップにおいて前記子機がスピーカフォン発信の状態と検出された場合に、前記制御ステップは、画像入出力を前記親機における画像入出力ステップで行ない、音声入出力は前記子機における音声入出力ステップで行なうテレビ電話通信を選択するよう制御し、前記検出ステップにおいて前記子機がスピーカフォン発信以外の状態と検出された場合は、前記制御ステップは、音声入出力を前記子機における音声入出力ステップで行なう音声通信を選択するよう制御することを特徴とする請求項１２に記載の通信端末の制御方法。
【手続補正２】
【補正対象書類名】明細書
【補正対象項目名】発明の名称
【補正方法】変更
【補正の内容】
【発明の名称】通信端末、および通信端末の制御方法
【手続補正３】
【補正対象書類名】明細書
【補正対象項目名】０００１
【補正方法】変更
【補正の内容】
【０００１】
本発明は、テレビ電話通信ないし音声通信を行なう通信端末、およびその制御方法に関するものである。
【手続補正４】
【補正対象書類名】明細書
【補正対象項目名】００１７
【補正方法】変更
【補正の内容】
【００１７】
本発明の課題は、上記の問題点を考慮し、音声通信とテレビ電話通信を適切に制御でき、ユーザの利便性を大きく向上できるＩＰ網対応のコードレスフォン形式の通信端末およびその制御方法を提供することにある。
【手続補正５】
【補正対象書類名】明細書
【補正対象項目名】００１８
【補正方法】変更
【補正の内容】
【００１８】
本発明は、テレビ電話通信ないし音声通信を行なう通信端末、およびその制御方法において、該通信端末は、親機と子機を含み、テレビ電話通信のための画像入出力、および前記テレビ電話通信ないし音声通信のための音声入出力を行なう親機と、前記親機と無線通信によりコードレス接続されるとともに、少なくとも音声通信のための音声入出力を行なう子機とを用い、前記親機と前記子機の間でテレビ電話通信チャンネルないし音声通信チャンネルを切換え、ないし転送する構成を採用した。
あるいはさらに、外部端末に対してチャンネル変更の要求を行ない、前記要求に対する該外部端末からの応答を受信し、受信した応答に応じて前記チャンネルを転送する構成を採用した。
あるいはさらに、前記親機で前記テレビ電話通信を行なっている時、ユーザの所定操作に応じて前記親機のテレビ電話通信チャンネルから前記子機の音声通信チャンネルへ転送する構成を採用した。
あるいはさらに、前記子機で音声通信を行なっている時、ユーザの所定操作に応じて前記親機のテレビ電話通信機能を起動し、画像入出力を前記親機で、音声入出力を前記子機で行なうテレビ電話通信を行なう構成を採用した。
あるいはさらに、前記子機の状態に応じて前記テレビ電話通信チャンネルないし音声通信チャンネルの転送を行なう構成を採用した。
あるいはさらに、画像入出力を前記親機で、音声入出力を前記子機で行なうテレビ電話通信を実行中、前記子機と前記親機の距離を前記子機の状態として検出し、前記子機が前記親機と所定以上離れている状態と検出された場合、該テレビ電話通信を中止し、音声入出力を前記子機で行なう音声通信に移行するよう制御する構成を採用した。
あるいはさらに、発信時、前記子機の発信方式を前記子機の状態として検出し、前記子機がスピーカフォン発信の状態と検出された場合に、画像入出力を前記親機で、音声入出力を前記子機で行なうテレビ電話通信を選択するよう制御し、前記子機がスピーカフォン発信以外の状態と検出された場合は、音声入出力を前記子機で行なう音声通信を選択するよう制御する構成を採用した。